(57)【要約】【課題】持ち運びしやすく、外袋を傷つけることなく簡単に少ない杭で地盤に固定することができ、出水時の流出を防ぐ土嚢及び土嚢の敷設方法を提供すること。【解決手段】本発明の土嚢Ａは、透水性素材より成る直方体形状の外袋１と、外袋１の外面に取り付けられた取っ手２と、外袋１の内部に収納された膨潤性吸水材とを備え、取っ手２は環状であって、外袋１の平面の四隅にそれぞれ取り付けられている。土嚢Ａの敷設方法は、土嚢Ａを地盤上に互いに接近させて多数並べ、隣接する複数の土嚢Ａの互いに突き合う隅部に取り付けられた複数の取っ手２を通して共通の１本の杭を地盤に打ち込み、土嚢Ａを地盤に固定する。【選択図】図１
2015083757.tif 000002
【特許請求の範囲】
【請求項１】
透水性素材より成る直方体形状の外袋と、該外袋の外面に取り付けられた取っ手と、前記外袋の内部に収納された膨潤性吸水材とを備え、前記取っ手は環状であって、前記外袋の平面の四隅にそれぞれ取り付けられていることを特徴とする土嚢。
【請求項２】
前記取っ手が外袋の側面の厚さ方向に延びる稜線に沿って固定されていることを特徴とする請求項１に記載の土嚢。
【請求項３】
請求項１又は２に記載の土嚢を地盤上に互いに接近させて多数並べ、隣接する複数の土嚢の互いに突き合う隅部に取り付けられた複数の取っ手を通して共通の１本の杭を地盤に打ち込んで、前記土嚢を地盤に固定することを特徴とする土嚢の敷設方法。
【請求項４】
前記土嚢を地盤上に複数列並べ、隣接する４個の土嚢の互いに突き合う隅部に取り付けられた４本の取っ手を通して共通の１本の杭を地盤に打ち込むことを特徴とする請求項３に記載の土嚢の敷設方法。
【発明の詳細な説明】
【技術分野】
【０００１】
本発明は、膨潤性吸水材を用いた土嚢及び土嚢の敷設方法に関する。
【背景技術】
【０００２】
一般的な止水用の土嚢は、麻袋のような通水性の高い袋に土砂を充填してあるため、土砂の運搬に大型の重機を必要とし、充填作業に手間がかかって、災害が発生しても速やかに対応することができなかった。
そこで、高吸水性樹脂を内蔵し、使用前はコンパクトで軽いが、吸水すると膨張して重くなり、止水機能を発揮する土嚢が種々提案されている。
ところが、高吸水性樹脂を用いた土嚢は、高吸水性樹脂が吸水した水で水を食い止めるものであり、土を充填した土嚢に比べて比重が軽いので浮き上がりやすいことが問題視されていた。
また、土を充填した土嚢は、流失防止のために土嚢袋本体に杭打ちを行なうことが可能であるが、高吸水性樹脂を収納した土嚢の場合、袋本体に杭を打つと高吸水性樹脂がこぼれ出してしまい、止水効果が無くなってしまう。
【０００３】
従来公知の高吸水性樹脂を用いた土嚢としては、例えば、不織布、織布、紙等で作られた袋内に高吸水性樹脂を封入し、袋の側部に把手を有する高吸水性樹脂水のうがある（特許文献１参照）。
この水のうは、把手を設けてあるので吸水しても持ち運びやすいが、たんに水のうの重量によって水流に対抗するだけであり、特許文献１には、水のうを地盤に杭で強固に固定して流失を防ぐという技術は記載されていない。
【０００４】
また、特許文献２には、不織布を用いて形成された袋体内に吸水性ポリマーを収容し、袋体の四隅に連結孔を備えた土のうが開示されている。
さらに、特許文献３には、透水性素材より成る直方体形状の外袋の内部に、透水性素材より成る内袋を着脱自在に固定し、内袋の内部に膨潤性吸水材を収納し、外袋の外面の８カ所の角に紐を取り付けた土嚢が記載されている。
特許文献２及び特許文献３に記載の土嚢は、角部に設けた連結孔或いは紐を介して隣接する土嚢どうしを連結し、土嚢が崩れるのを防止できるが、土嚢を杭で地盤に固定するものではなかった。
【先行技術文献】
【特許文献】
【０００５】
【特許文献１】登録実用新案第３０７９１４９号公報
【特許文献２】特開２０００−３０３４２４号公報
【特許文献３】特開２００９−２９３２６０号公報
【発明の概要】
【発明が解決しようとする課題】
【０００６】
本発明が解決しようとする課題は、持ち運びしやすく、外袋を傷つけることなく少ない杭で簡単に地盤に固定することができ、出水時の流出を防ぐ土嚢及び土嚢の敷設方法を提供することにある。
【課題を解決するための手段】
【０００７】
本発明の土嚢は、透水性素材より成る直方体形状の外袋と、該外袋の外面に取り付けられた取っ手と、前記外袋の内部に収納された膨潤性吸水材とを備え、前記取っ手は環状であって、前記外袋の平面の四隅にそれぞれ取り付けられている。
前記取っ手を外袋の側面の厚さ方向に延びる稜線に沿って固定すると良い。
本発明の土嚢の敷設方法は、上記土嚢を地盤上に互いに接近させて多数並べ、隣接する複数の土嚢の互いに突き合う隅部に取り付けられた複数の取っ手を通して共通の１本の杭を地盤に打ち込み、前記土嚢を地盤に固定することを特徴とする。
前記土嚢を地盤上に複数列並べた場合、隣接する４個の土嚢の互いに突き合う隅部に取り付けられた４本の取っ手を通して共通の１本の杭を地盤に打ち込むこともできる。
【発明の効果】
【０００８】
請求項１に係る発明によれば、外袋に取っ手が取り付けられているので、吸水して重量や容積が増しても運搬しやすく、外袋を傷つけることなく取っ手を介して杭を地盤に打ち込み、土嚢が浮き上がって流失するのを防止できる。
また、取っ手は外袋の平面の四隅に取り付けられているので、地盤上に土嚢を並べた時に、隣接する複数の土嚢の隅部に取り付けられた取っ手が最大で４本１カ所に集まることになり、これらの取っ手に１本の杭を打ち込むことによって、多数の土嚢を少ない杭で地盤に固定することが可能である。
さらに、外袋は直方体に形成されているので膨潤性吸水材が吸水すると直方体に膨張し、上面と下面が平らになって安定して積み重ねることができる。
【０００９】
請求項２に係る発明によれば、取っ手が外袋の四隅部の補強片となり、しかも、取っ手は側面の稜線に沿って長く固定されているので、取っ手に加わる荷重が分散され、このため、取っ手を持って土嚢を運搬したり、取っ手を通して杭を打ち込んでも外袋が破れにくい。
請求項３に係る発明によれば、外袋に取り付けた取っ手を通して地盤に杭を打ち込んであるので、土を充填した土嚢よりも比重の軽い膨潤性吸水材を収納した土嚢であっても、浮き上がって流失する心配が無く、複数の取っ手に通した１本の杭で土嚢を地盤に固定するため、使用する杭の数が少なくて済むばかりか、杭打ちに要する労力も軽減される。
請求項４に係る発明によれば、隣接する４個の土嚢の隅部に取り付けられた４本の取っ手に１本の杭を打つので、杭打ち作業がさらに効率化され、コストも低減される。
【図面の簡単な説明】
【００１０】
【図１】本発明の実施例を示す土嚢の斜視図。
【図２】本発明の実施例を示す土嚢の断面図。
【図３】本発明の実施例に係る外袋の要部平面図。
【図４】本発明の実施例を示す土嚢の敷設途中における斜視図。
【図５】本発明の実施例を示す土嚢の側面図。
【発明を実施するための形態】
【００１１】
以下、本発明の実施例を図面に基づいて詳細に説明する。  
図１及び図２に示すように、本発明の土嚢Ａは、外袋１と、外袋１の外面に取り付けられた取っ手２と、外袋１の内部に収納された膨潤性吸水材３とを備える。  
外袋１は、吸水後の重量にも耐えられる強度を有する透水性の高い素材より成る。外袋１の素材としては、不織布、織布等があるが、織目を通して膨潤性吸水材３が脱出し難い不織布を用いるのが望ましい。  
また、外袋１は、それぞれ長方形の上面片４、下面片５、及び４面の側面片６の周縁を縫製して、長さ４００ｍｍｃｍ、幅３６０ｍｍ、厚さ１５０ｍｍ程度の直方体形状に形成されている。もちろん、外袋１の寸法は適宜変更することができる。
さらに、図３に示すように、外袋１の外面には多数の凹凸より成る滑り止め７が形成されている。
【００１２】
取っ手２は、外袋１と同じ素材の帯片を複数枚折り重ねて、幅約３ｃｍ、周長約３０ｃｍの環状に形成したものである。
そして、取っ手２は、その周長の約半分を外袋１の側面の厚さ方向に延びる稜線に沿って縫着等により固定することにより、外袋１の平面の四隅にそれぞれ取り付けられている。即ち、取っ手２は、上面片４の角と下面片５の角とに亘って、側面片６どうしの接続部に沿って固定され、外方へ環状に突出している。
従って、取っ手２は外袋１の四隅を補強する補強片の役割を果たし、吸水後に取っ手２を持って土嚢Ａを運んだり、後述するように取っ手２を介して地盤に固定しても、外袋１が破れにくい。
【００１３】
膨潤性吸水材３は、ポリアクリル酸ナトリウム等の吸水して膨張する高吸水性樹脂を粒状としたものである。  
膨潤性吸水材３は、水分によって破損しやすい薄手の紙等を素材とする２個の小袋８に充填され、小袋８が外袋１の内面において、上面片４或いは下面片５の対角線の両端部分に固定されている。これにより、膨潤性吸水材３がこぼれだすのを防止でき、膨潤性吸水材３が１ヶ所に集まらないので、使用しない時はコンパクトに積み重ねることができると共に、吸水時に袋全体に早く広がって吸水時間を短縮できる。  
【００１４】
この土嚢Ａを敷設するには、吸水前に土嚢Ａを敷設現場に運び、２分程度水に浸して吸水させ、膨潤性吸水材３を膨張させてから、図４に示すように、多数の土嚢Ａを地盤上に互いに接近させて複数列並べる。この時、吸水して土嚢Ａの重量及び容積が増しても、取っ手２を持つことにより容易に敷設位置へ運ぶことができる。
そして、土嚢Ａを並べてから、前後・左右に隣接する４個の土嚢Ａの互いに突き合う隅部に取り付けられた４本の取っ手２を１ヶ所に集め、これら４本の取っ手２を通して共通の１本の杭９（図５）を地盤に打ち込み、４個の土嚢Ａを１本の杭９で地盤に固定する。
同様にして地盤上に並べた全ての土嚢Ａを固定する。
【００１５】
その後、図５に示すように、地盤に固定した土嚢Ａの上に、多数の土嚢Ａを互いに接近させて複数列並べると共に、複数段積み重ねる。
さらに、水流によって土嚢Ａがばらばらにならないよう、杭９で固定されていない土嚢Ａの内、前後・左右に隣接する４個の土嚢Ａの互いに突き合う隅部に取り付けられた４本の取っ手２を紐１０で結束する。
外袋１の外面には滑り止め７が形成されているので、上段の土嚢Ａは下段の土嚢Ａ上に載せるだけでも、積み重ねた土嚢Ａが崩れる恐れは少ない。しかし、隣接する４個の土嚢Ａの付き合わせ部が上段と下段で一致するよう積み重ね、上段の土嚢Ａの取っ手２と下段の土嚢Ａの取っ手２を紐で連結して、上段の土嚢Ａの浮き上がりを防ぐこともできる。
【００１６】
なお、玄関先等の地盤上に土嚢Ａを１列に並べる場合は、隣接する２個の土嚢Ａの隅部が突き合わせられるので、突き合う隅部に取り付けられた２本の取っ手２を通して杭９を打ち込む。
また、土手等の側面に土嚢Ａを敷設する場合は、地盤上に土嚢Ａを１段だけ並べる。この場合、土嚢Ａを吸水しない状態で並べて地盤に固定しても良い。
さらに、膨潤性吸水材３は、小袋８に充填せず、外袋１の内部に直接収納しても良い。また、滑り止め７の形状は図示のものに限定されない。
【符号の説明】
【００１７】
Ａ  土嚢
１  外袋
２  取っ手
３  膨潤性吸水材
４  上面片
５  下面片
６  側面片
７  滑り止め
８  小袋
９  杭
１０  紐
【図１】
2015083757.tif 000003
【図２】
2015083757.tif 000004
【図３】
2015083757.tif 000005
【図４】
2015083757.tif 000006
【図５】
2015083757.tif 000007